(57)【要約】【課題】映像伝送路の空き帯域を活用すること。【解決手段】映像伝送路を介して配信される映像信号の空き帯域にコンテンツデータの信号を合波することによって合波信号を生成する合波部と、映像伝送路を介して合波信号を受信し、合波信号に含まれる映像信号を映像再生装置に出力し、合波信号に含まれるコンテンツデータの信号を復調しコンテンツデータを蓄積するユーザ側管理部と、を備える。【選択図】図１
2014107591.tif 000002
【特許請求の範囲】
【請求項１】
映像伝送路を介して配信される映像信号の空き帯域にコンテンツデータの信号を合波することによって合波信号を生成する合波部と、
前記映像伝送路を介して前記合波信号を受信し、前記合波信号に含まれる前記映像信号を映像再生装置に出力し、前記合波信号に含まれる前記コンテンツデータの信号を復調し前記コンテンツデータを蓄積するユーザ側管理部と、
を備える映像配信システム。
【請求項２】
前記ユーザ側管理部は、蓄積している前記コンテンツデータをユーザからの要求に応じて前記コンテンツデータを出力する端末装置へ出力する、請求項１に記載の映像配信システム。
【請求項３】
前記ユーザ側管理部又は前記端末装置は、前記コンテンツデータに応じて、前記映像伝送路とは異なる双方向通信路を介して他の情報処理装置と通信を行う、請求項１又は２に記載の映像配信システム。
【請求項４】
前記コンテンツデータは暗号化されており、
前記コンテンツデータを復号化するための復号鍵を記憶する管理サーバと、
前記復号鍵を、前記映像伝送路とは異なる双方向通信路を介して前記管理サーバに要求し、前記管理サーバから前記双方向通信路を介して受信した前記復号鍵を用いて前記ユーザ側管理部に蓄積されている前記コンテンツデータを復号化する復号部と、
を更に備える、請求項１から３のいずれか１項に記載の映像配信システム。
【請求項５】
映像伝送路を介して配信される映像信号の空き帯域にコンテンツデータの信号を合波することによって合波信号を生成する合波ステップと、
前記映像伝送路を介して前記合波信号を受信するステップと、
前記合波信号に含まれる前記映像信号を映像再生装置に出力するステップと、
前記合波信号に含まれる前記コンテンツデータの信号を復調し前記コンテンツデータを蓄積するステップと、
を有する映像配信方法。
【発明の詳細な説明】
【技術分野】
【０００１】
本発明は、ＶＣＡＳＴ（登録商標）等の映像伝送路の空き帯域を活用する技術に関する。
【背景技術】
【０００２】
従来、広帯域の映像伝送路が提案されており、実際に運用されているものもある。このような映像伝送路の具体例としてＶＣＡＳＴ（登録商標）がある（非特許文献１参照）。ＶＣＡＳＴ（登録商標）は、各配信先まで１１０キャリア同時配信する転送容量を有している。
【先行技術文献】
【非特許文献】
【０００３】
【非特許文献１】数藤崇、“映像配信網サービスＶＣＡＳＴ”、ＮＴＴ技術ジャーナル，Vol.16，No.5，pp.52-55，2004
【発明の概要】
【発明が解決しようとする課題】
【０００４】
しかしながら、現状では上述した全てのキャリアが有効に活用されてはおらず、空き帯域が生じている。さらに、地上アナログテレビ放送の停波後には、これまで以上の空き帯域が生じる可能性が高い。そのため、このような空き帯域を有効に活用する方法の提案が望まれている。
【０００５】
上記事情に鑑み、本発明は、映像伝送路の空き帯域を活用する技術の提案を目的としている。
【課題を解決するための手段】
【０００６】
本発明の一態様は、映像伝送路（例えば、実施形態におけるＶＣＡＳＴ網２０）を介して配信される映像信号の空き帯域にコンテンツデータの信号を合波することによって合波信号を生成する合波部（例えば、実施形態におけるＴＡ（Transmission Amplifier）２０３）と、前記映像伝送路を介して前記合波信号を受信し、前記合波信号に含まれる前記映像信号を映像再生装置（例えば、実施形態におけるＤＭＲ（Digital Media Renderer）内蔵テレビ６０３）に出力し、前記合波信号に含まれる前記コンテンツデータの信号を復調し前記コンテンツデータを蓄積するユーザ側管理部（例えば、実施形態におけるＭＧＷ６０２）と、を備える映像配信システムである。
【０００７】
本発明の一態様は、上記の映像配信システムであって、前記ユーザ側管理部は、蓄積している前記コンテンツデータをユーザからの要求に応じて前記コンテンツデータを出力する端末装置へ出力する。
【０００８】
本発明の一態様は、上記の映像配信システムであって、前記ユーザ側管理部又は前記端末装置は、前記コンテンツデータに応じて、前記映像伝送路とは異なる双方向通信路（例えば、実施形態におけるＮＧＮ網４０、インターネット７０）を介して他の情報処理装置（例えば、実施形態におけるライセンス管理サーバ１０２、コンテンツサーバ７０１）と通信を行う。
【０００９】
本発明の一態様は、上記の映像配信システムであって、前記コンテンツデータは暗号化されており、前記コンテンツデータを復号化するための復号鍵を記憶する管理サーバ（例えば、実施形態におけるライセンス管理サーバ１０２）と、前記復号鍵を、前記映像伝送路とは異なる双方向通信路（例えば、実施形態におけるＮＧＮ網４０）を介して前記管理サーバに要求し、前記管理サーバから前記双方向通信路を介して受信した前記復号鍵を用いて前記ユーザ側管理部に蓄積されている前記コンテンツデータを復号化する復号部（例えば、実施形態におけるＭＧＷ６０２）と、を更に備える。
【００１０】
本発明の一態様は、映像伝送路を介して配信される映像信号の空き帯域にコンテンツデータの信号を合波することによって合波信号を生成する合波ステップと、前記映像伝送路を介して前記合波信号を受信するステップと、前記合波信号に含まれる前記映像信号を映像再生装置に出力するステップと、前記合波信号に含まれる前記コンテンツデータの信号を復調し前記コンテンツデータを蓄積するステップと、を有する映像配信方法である。
【発明の効果】
【００１１】
本発明により、映像伝送路の空き帯域にコンテンツのデータを埋め込んで伝送することが可能となる。したがって、映像伝送路の空き帯域を有効に活用することが可能となる。
【図面の簡単な説明】
【００１２】
【図１】本発明の一実施形態における配信システムのシステム構成図である。
【図２】ＴＡに入力される合波された信号の周波数帯情報を示す図である。
【図３】配信システムの第一動作例を示す概略図である。
【図４】配信システムの第二動作例を示す概略図である。
【図５】配信システムの第三動作例を示す概略図である。
【発明を実施するための形態】
【００１３】
図１は、本発明の一実施形態における配信システムのシステム構成図である。
配信システムは、ＩＰＤＣ（Internet Protocol Data Cast）サーバ１０１、ライセンス管理サーバ１０２、ＶＣＡＳＴ網２０、ＷＤＭ（Wavelength Division Multiplexer）３０１、ＮＧＮ（Next Generation Network）網４０、ユーザ宅網６０を備える。ＩＰＤＣサーバ１０１とユーザ宅網６０とはＶＣＡＳＴ網２０を介して通信可能に接続される。ライセンス管理サーバ１０２とユーザ宅網６０とはＮＧＮ網４０を介して双方向通信可能に接続される。ＩＰＤＣサーバ１０１とライセンス管理サーバ１０２とは、専用線やインターネット等の通信回線を介して通信可能に接続される。
【００１４】
ＩＰＤＣサーバ１０１は、様々なコンテンツデータ（例えば、文字、画像、映像、音声等）をＩＰＤＣパケットに変換する処理を行う。また、ＩＰＤＣサーバ１０１が取り扱うコンテンツデータには、各コンテンツデータに関する情報（以下、「インデックスデータ」という。）が含まれても良い。ＩＰＤＣサーバ１０１は、生成したＩＰＤＣパケットをＶＣＡＳＴ網２０に送信する。
ライセンス管理サーバ１０２は、必要に応じてＩＰＤＣサーバ１０１によって配信されるコンテンツに関する認証処理を行う。
【００１５】
ＨＥ（Head End）１０３は、ＣＡＴＶ事業者の送信設備であり、受信した映像信号をＴＡに送出する設備である。ＨＥ１０３が送出する映像信号の具体例として、地上波テレビ放送の映像信号、ＢＳ放送の映像信号、ＣＳ放送の映像信号などがある。
【００１６】
ＲＦ変換装置１０４は、ＩＰＤＣサーバ１０１から送信されたＩＰＤＣパケットを受信する。ＲＦ変換装置１０４は、ＩＰＤＣパケットをＴＳ（Transport Stream）パケットにカプセル化する。そして、ＲＦ変換装置１０４は、ＴＳパケットをＲＦ（Radio Frequency：高周波）信号に変調して送出する。
【００１７】
ＶＣＡＳＴ網２０は、ＴＡ２０１、Ｖ−ＯＬＴ（Visual-Optical Line Terminal）２０２を備える。
ＴＡ２０１は、ＵＮＩ（User Network Interface）を備える。ＴＡ２０１は、ＨＥ１０３によって送出された映像信号と、ＲＦ変換装置１０４によって送出されたＲＦ信号からなる合波信号（電気信号）を受信し、光信号に変換して送出する。図２は、ＴＡ２０１に入力される合波された信号の周波数帯情報を示す図である。図２は、横軸に周波数（単位：ＭＨｚ）を表し、縦軸に信号強度の概略を表す。ただし、図２に示される各信号の帯域、帯域幅および信号強度は一例にすぎない。
【００１８】
図２において、台形は信号の存在を表す。白色の台形は、ＨＥ１０３によって送出された映像信号を表す。黒色の台形は、ＲＦ変換装置１０４によって送出されたＲＦ信号を表す。図２に示されるように、ＲＦ変換装置１０４によって送出されたＲＦ信号は、映像信号と映像信号との間の空いた周波数帯で送信される。そのため、ＶＣＡＳＴ網２０の空き帯域を有効に活用してコンテンツデータ（ＲＦ信号）を送信することが可能となる。
【００１９】
図１の説明に戻る。
Ｖ−ＯＬＴ２０２は、光ファイバ加入者線の局側に配置される終端装置である。
ＷＤＭ３０１は、ＮＧＮ網４０からのＩＰ信号と、ＶＣＡＳＴ網２０からの映像信号とＲＦ信号からなる合波信号とを多重する。
【００２０】
ＮＧＮ網４０は、複数の通信機器を用いて構成される双方向通信網である。ＮＧＮ網４０は、ライセンス管理サーバ１０２とＧＶ−ＯＮＵ６０１との間でＩＰパケットの送受信を行う。
【００２１】
ユーザ宅網６０には、ＧＶ−ＯＮＵ（Gigabit Ethernet（登録商標） Visual-Optical Network Unit）６０１、ＭＧＷ（Media Gate Way）６０２、ＤＭＲ内蔵テレビ６０３、端末装置６０４が設置されている。
ＧＶ−ＯＮＵ６０１は、光ファイバ加入者線のユーザー宅側のＵＮＩとして配置され、光信号を電気信号に変換する装置である。具体的には、ＧＶ−ＯＮＵ６０１から出力される電気信号は、映像信号とＲＦ信号から成る合波信号及びＮＧＮ網４０からのＩＰ信号である。
【００２２】
ＭＧＷ６０２は、ＧＶ−ＯＮＵ６０１によって変換された電気信号のうち、ＲＦ信号のみをＴＳパケットに復調する。
ＭＧＷ６０２は、さらにＴＳパケットからＩＰＤＣパケットを取出し、コンテンツデータに変換する。ＭＧＷ６０２は、変換したコンテンツデータを蓄積する。
【００２３】
端末装置６０４は、ユーザによって操作される情報処理装置である。端末装置６０４は、例えば携帯電話機、スマートフォン、ゲーム機、家電製品、テレビ受像機、タブレット装置などである。端末装置６０４は、ＭＧＷ６０２に対して、蓄積されているコンテンツデータをＤＭＲ内蔵テレビ６０３にて再生するなどの制御を行う。
【００２４】
本発明の一実施形態における配信システムには、複数の動作例を適用することが可能である。以下、代表的な動作例について説明する。
【００２５】
［第一動作例］
図３は、配信システムの第一動作例を示す概略図である。
まず、ＩＰＤＣサーバ１０１は、ＶＣＡＳＴ網２０を介してユーザ宅網６０に対してコンテンツデータを配信する（ステップＳ００１）。コンテンツデータの配信は、例えば複数のユーザ宅網６０に対してブロードキャストで行われる。
【００２６】
ユーザ宅網６０のＭＧＷ６０２は、ＶＣＡＳＴ網２０を介してコンテンツデータを受信すると、受信したコンテンツデータを蓄積する（ステップＳ００２）。そのため、ＭＧＷ６０２には、１つ以上のコンテンツデータが蓄積されている。ステップＳ００１及びＳ００２の処理は、継続的に行われている。
ユーザは、端末装置６０４を操作してＭＧＷ６０２に蓄積されたコンテンツを、端末装置６０４やＤＭＲ内蔵テレビ６０３などの他機器を用いて利用することができる。
【００２７】
以下、コンテンツ利用時の処理の具体例について説明する。ユーザが操作する端末装置６０４は、まずＭＧＷ６０２にアクセスし、インデックスデータを取得する。端末装置６０４は、インデックスデータを表示し、ユーザにコンテンツの選択を促す。ユーザは、端末装置６０４を操作して、インデックスデータの表示画面の中から所望のコンテンツを選択する。端末装置６０４は、選択されたコンテンツを示すデータをＭＧＷ６０２に送信する。ＭＧＷ６０２は、ユーザによって選択されたコンテンツのデータを端末装置６０４又はＤＭＲ内蔵テレビ６０３に送信する。端末装置６０４又はＤＭＲ内蔵テレビ６０３は、受信したコンテンツデータを再生する。
なお、インデックスデータの表示及び選択は、ＤＲＭ内蔵テレビ６０３において行われても良いし、ＭＧＷ６０２において行われても良い。
【００２８】
以上のように行われる第一動作例の処理によれば、ＶＣＡＳＴ網２０を介して提供されるコンテンツが自動的にユーザ宅網６０のＭＧＷ６０２に蓄積される。ユーザは、端末装置６０４を操作することによって、ＭＧＷ６０２に蓄積されたコンテンツを利用することが可能となる。ユーザによって利用されるコンテンツは、ＶＣＡＳＴ網２０を介して、映像信号と映像信号との間の空いた周波数帯で送信される。したがって、ＶＣＡＳＴ網２０の空き帯域を従来に無い方法で活用する事が可能となる。
【００２９】
また、ＶＣＡＳＴ網２０を介して提供されるコンテンツは、オンデマンドではなく、ブロードキャストされる。このようにブロードキャストすることによって、同一のコンテンツを重複して異なるタイミングで複数回配信することなく、複数のユーザ宅網６０へ配信することが可能となる。ただし、ブロードキャストであるため、ユーザは通常であれば配信されるコンテンツをリアルタイムで活用しなければならなくなる。しかしながら、第一動作例では、配信されたコンテンツのデータがＭＧＷ６０２に自動的に蓄積される。ユーザは、蓄積されたコンテンツを利用できる。そのため、ユーザはその時点で配信されているコンテンツのみならず、過去に配信されたコンテンツも利用することが可能になる。したがって、コンテンツの配信側も、ユーザの利用時間などを気にすることなく、プッシュ型でコンテンツのデータを配信することが可能となる。すなわち、コンテンツの配信タイミングの自由度が増すという効果が得られる。
【００３０】
［第二動作例］
図４は、配信システムの第二動作例を示す概略図である。
まず、配信対象となるコンテンツのデータは、必要に応じてあらかじめ暗号化処理が施された状態でＩＰＤＣサーバ１０１に格納されている。ＩＰＤＣサーバ１０１は、ＶＣＡＳＴ網２０を介してユーザ宅網６０に対してコンテンツの暗号化データを配信する（ステップＳ１０１）。コンテンツの暗号化データの配信は、例えば複数のユーザ宅網６０に対してブロードキャストで行われる。
【００３１】
ユーザ宅網６０のＭＧＷ６０２は、ＶＣＡＳＴ網２０を介してコンテンツのデータを受信すると、受信したコンテンツの暗号化データを蓄積する（ステップＳ１０２）。そのため、ＭＧＷ６０２には、１つ以上のコンテンツの暗号化データが蓄積されている。
また、暗号化データを復号化するために使用されるデータ（復号鍵）は、あらかじめライセンス管理サーバ１０２に格納されている。
ステップＳ１０１の処理は、継続的に行われている。
【００３２】
ユーザは、ユーザ宅網６０に接続されている端末装置６０４を操作することによって、ＩＰＤＣサーバ１０１によって配信、またはＭＧＷ６０２に蓄積されているコンテンツの中から利用したいコンテンツを選択する。ＭＧＷ６０２は、端末装置６０４を用いてユーザによって選択されたコンテンツについて認証依頼を生成する。認証依頼には、例えばユーザに予め付与されているＩＤやパスワード等が含まれる。そして、ＭＧＷ６０２は、ＮＧＮ網４０を介して認証依頼をライセンス管理サーバ１０２に送信する（ステップＳ１０３）。
【００３３】
ライセンス管理サーバ１０２は、ＮＧＮ網４０を介して認証依頼を受信すると、認証処理を行う（ステップＳ１０４）。ライセンス管理サーバ１０２が行う認証処理の具体例は以下の通りである。ライセンス管理サーバ１０２は、暗号化されたコンテンツの閲覧を希望するユーザについて、あらかじめ記憶されたＩＤ及びパスワードの組み合わせを、受信された認証依頼に含まれるＩＤ及びパスワードの組み合わせと比較する。
【００３４】
ライセンス管理サーバ１０２は、予め記憶しているＩＤ及びパスワードの複数の組み合わせの中に、受信された認証依頼に含まれるＩＤ及びパスワードの組み合わせに一致するものがある場合、正当なユーザであると判定する。この場合、ライセンス管理サーバ１０２は、認証依頼の送信元であるＭＧＷ６０２に対し、ＮＧＮ網４０を介して復号鍵を送信する（ステップＳ１０５）。
【００３５】
一方、ライセンス管理サーバ１０２は、予め記憶しているＩＤ及びパスワードの複数の組み合わせの中に、受信された認証依頼に含まれるＩＤ及びパスワードの組み合わせに一致するものがない場合、不当なユーザであると判定する。この場合、ライセンス管理サーバ１０２は、認証依頼の送信元であるＭＧＷ６０２に対し、ＮＧＮ網４０を介してエラー情報を送信する。
【００３６】
ステップＳ１０６の処理の後、ライセンス管理サーバ１０２は、認証を受けたユーザに関する課金処理を行う（ステップＳ１０６）。課金処理の具体例は以下の通りである。ライセンス管理サーバ１０２は、ＩＰＤＣサーバ１０１から配信される、またはＭＧＷ６０２に蓄積されているコンテンツ毎に設定された料金を予め記憶している。ライセンス管理サーバ１０２は、復号鍵の送信先となったユーザのユーザＩＤと、送信された復号鍵のコンテンツに設定されている料金とを対応付けて課金データベースに登録する。後日、課金データベースに登録されている情報に基づいて、復号鍵の送信先となったユーザに対して料金の請求が行われる。
【００３７】
以上のように行われる第二動作例の処理によれば、ＶＣＡＳＴ網２０を介して提供されるコンテンツに関して、ＮＧＮ網４０を介した通信により認証処理や課金処理を行う事が可能となる。そのため、ＶＣＡＳＴ網２０を介して提供されるコンテンツについて多様な提供方法を実現することが可能となる。したがって、ＶＣＡＳＴ網２０の空き帯域を従来にない方法で活用する事が可能となる。
【００３８】
［第三動作例］
図５は、配信システムの第三動作例を示す概略図である。
第三動作例の開始時点では、既に第一動作例又は第二動作例などの処理によって、ＭＧＷ６０２に蓄積されたコンテンツデータをユーザが利用できる状態になっている。また、第三動作例では、インターネット７０に接続されたコンテンツサーバ７０１と端末装置６０４との間でＭＧＷ６０２を介した通信が発生する。そのため、図５にはインターネット７０及びコンテンツサーバ７０１を図示している。
【００３９】
ＶＣＡＳＴ網２０を介して提供されるコンテンツデータ（以下、「提供データ」という。）には、インターネット等の通信網を介して他のサーバ（例えばコンテンツサーバ７０１）と双方向の通信が発生するような仕掛けがなされていても良い。例えば、提供データには、コンテンツサーバ７０１へのリダイレクトが含まれていても良い。例えば、提供データには、コンテンツサーバ７０１によって管理されるウェブページやファイルへのリンクが含まれていても良い。このようなウェブページの具体例として、商品紹介のウェブページや、商品購入のためのウェブページなどがある。端末装置６０４は、ユーザの操作に応じて、インターネット７０を介してＨＴＴＰリクエストをコンテンツサーバ７０１に送信する（ステップＳ２０１）。この場合、提供データを広告媒体として使用することが可能となる。
以上のように行われる第三動作例の処理によれば、ＶＣＡＳＴ網２０を介して様々な種類の提供データをユーザに対してプッシュ型で提供することが可能となる。
【００４０】
＜変形例＞
ユーザ宅網６０とＩＰＤＣサーバ１０１との間の伝送路は、ＶＣＡＳＴ網２０に限定される必要は無い。ユーザ宅網６０とＩＰＤＣサーバ１０１との間の伝送路は、映像信号の配信が可能な伝送路であれば、他の伝送路を用いて構成されても良い。
【００４１】
ユーザ宅網６０とライセンス管理サーバ１０２との間の通信路は、ＮＧＮ網４０に限定される必要は無い。ユーザ宅網６０とライセンス管理サーバ１０２との間の通信路は、双方向通信が可能な通信路であれば、どのような通信路であっても良い。このような通信路の具体例として、インターネット、専用線、携帯電話通信網、複数の通信路を組み合わせて構成された通信路などがある。
【００４２】
第二動作例において、復号鍵でコンテンツデータを復号化する復号部はＭＧＷ６０２としたが、端末装置６０４やＤＭＲ内蔵テレビ６０３等のその他の装置でもよい。また、第二動作例における課金処理は、ライセンス管理サーバ１０２とは別の装置（例えば、課金サーバ）によって実現しても良い。
【００４３】
第三動作例において、コンテンツサーバ７０１の接続先はインターネット７０に限定される必要は無い。例えば、コンテンツサーバ７０１はＮＧＮ網４０に直接接続されていても良いし、他のネットワークに接続されていても良い。
【００４４】
前記提供データは、所定の期間のみ利用可能な仕組みがなされていても良い。例えば、ＭＧＷ６０２に蓄積されている前記提供データを、所定の期間の経過後にＭＧＷ６０２の機能によって削除することによって実現できる。
【００４５】
上述した実施形態におけるライセンス管理サーバ１０２、ＭＧＷ６０２の機能をコンピュータで実現するようにしても良い。その場合、この機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
以上、この発明の実施形態について図面を参照して詳述してきたが、具体的な構成はこの実施形態に限られるものではなく、この発明の要旨を逸脱しない範囲の設計等も含まれる。
【符号の説明】
【００４６】
１０１…ＩＰＤＣサーバ，  １０２…ライセンス管理サーバ，  ２０…ＶＣＡＳＴ，  １０３…ＨＥ，  １０４…ＲＦ変換装置，  ２０３…ＴＡ，  ２０２…Ｖ−ＯＬＴ，  ３０１…ＷＤＭ，  ４０…ＮＧＮ網，  ６０…ユーザ宅網，  ６０１…ＧＶ−ＯＮＵ，  ６０２…ＭＧＷ，  ６０３…ＤＭＲ内蔵テレビ，  ６０４…端末装置，  ７０…インターネット，  ７０１…コンテンツサーバ
【図１】
2014107591.tif 000003
【図２】
2014107591.tif 000004
【図３】
2014107591.tif 000005
【図４】
2014107591.tif 000006
【図５】
2014107591.tif 000007